(57)【要約】【課題】手作業によるピックアップローラの配置変更を行うことなく、用紙のスキューの発生を抑制できるようにすること。【解決手段】給紙装置は、ピックアップローラ４４及び４６と、分離手段６と、原稿給紙テーブル２４に配設されたの幅規制部材３０及び３２とを備えている。ピックアップローラ４４及び４６は、原稿給紙テーブル２４の中心を挟んだ水平幅方向両側にそれぞれ配設され、該中心に対し、幅規制部材３２側に配置されたピックアップローラ４６は、上下方向に揺動可能である。【選択図】  図２
2006151623.tif 000002
【特許請求の範囲】
【請求項１】
用紙載置台に載置された用紙を給紙するピックアップローラと、ピックアップローラにより給紙された複数の原稿を分離して１枚のみ搬送する分離手段と、用紙載置台に載置された用紙の、給紙方向に直交する水平幅方向の中心を、用紙載置台の水平幅方向の中心に整合させる一対の幅規制部材とを備え、用紙載置台にサイズの異なる用紙が混載される場合、小サイズの用紙は、水平幅方向の一側が、片方の幅規制部材に突き当てられて位置決めされる、給紙装置において、
ピックアップローラは、用紙載置台の該中心を挟んだ水平幅方向両側にそれぞれ配設され、該中心に対し、他方の幅規制部材側に配置されたピックアップローラは、上下方向に揺動可能である、
ことを特徴とする給紙装置。
【請求項２】
用紙載置台の該中心に対し、片方の幅規制部材側に配置されたピックアップローラにおける水平幅方向の中心は、該小サイズの用紙における水平幅方向の中心ないし中心領域に配置される、請求項１記載の給紙装置。
【請求項３】
用紙載置台の該中心に対し、他方の幅規制部材側に配置されたピックアップローラは、用紙載置台に載置された用紙の上面が当接される給紙位置と、用紙載置台に載置された用紙の上面から上方に離隔した非給紙位置との間を揺動可能であり、該中心に対し、片方の幅規制部材側に配置されたピックアップローラは、用紙載置台に載置された用紙の上面が当接される給紙位置に保持されている、請求項１又は請求項２記載の給紙装置。
【請求項４】
ピックアップローラは、用紙載置台の該中心を挟んだ水平幅方向両側の対称位置に、それぞれ、少なくとも１個配設されている、請求項１〜３のいずれか１項に記載の給紙装置。
【請求項５】
用紙載置台に載置された用紙を給紙するピックアップローラと、ピックアップローラにより給紙された複数の原稿を分離して１枚のみ搬送する分離手段と、用紙載置台に載置された用紙の、給紙方向に直交する水平幅方向の中心を、用紙載置台の水平幅方向の中心に整合させる一対の幅規制部材とを備え、用紙載置台にサイズの異なる用紙が混載される場合、小サイズの用紙は、水平幅方向の一側が、片方の幅規制部材に突き当てられて位置決めされる、給紙装置において、
ピックアップローラは、ピックアップローラにおける水平幅方向の中心が、用紙載置台の該中心に対し、片方の幅規制部材側に寄せられた位置に配置される、
ことを特徴とする給紙装置。
【請求項６】
ピックアップローラは、ピックアップローラの、用紙載置台に載置された用紙の上面が当接される外周面が、用紙載置台の該中心から水平幅方向に離れない位置に配置される、請求項５記載の給紙装置。
【請求項７】
ピックアップローラは、１個又は複数個配設されている、請求項５又は請求項６記載の給紙装置。
【請求項８】
ピックアップローラは２個配設され、用紙載置台の該中心に対し、他方の幅規制部材側に配置されたピックアップローラおける水平幅方向の中心は、大サイズの用紙における水平幅方向の中心領域に配置され、該中心に対し、片方の幅規制部材側に配置されたピックアップローラにおける水平幅方向の中心は、該小サイズの用紙における水平幅方向の中心ないし中心領域に配置される、請求項７記載の給紙装
【請求項９】
分離手段は、分離手段における水平幅方向の中心が、用紙載置台の水平幅方向の中心を通り給紙方向に延在する中心線上に存在するよう配置されている、請求項１〜８のいずれか１項に記載の給紙装置。
【発明の詳細な説明】
【技術分野】
【０００１】
本発明は、用紙載置台に載置された用紙を給紙する給紙装置、さらに詳しくは、用紙載置台にサイズの異なる用紙が混載されて給紙される機能を備えた給紙装置であって、それぞれ静電写真式の、複写機、プリンタ、それらの複合機などの画像形成装置に適用される給紙装置に関する。
【背景技術】
【０００２】
画像形成装置に備えられた給紙装置は、一般的に、用紙載置台に載置された用紙を給紙するピックアップローラと、用紙載置台に載置された用紙の、給紙方向に直交する水平幅方向の中心を、用紙載置台の水平幅方向の中心に整合させる一対の幅規制部材とを備えている。用紙載置台にサイズの異なる用紙が混載されて給紙装置により給紙される場合、用紙載置台に載置された小サイズの用紙は、幅規制部材の各々によって水平幅方向の両側を規制できないため、ピックアップローラにより給紙されたときにスキューされる（斜め送りされる）、との不具合の発生が知られている。
【０００３】
この問題を解決するため、混載給紙時において、ピックアップローラの位置を、水平幅方向に移動させて、小サイズの用紙のみに当接させる給紙装置が開示されている（特許文献１参照）。しかしながら、この給紙装置においては、ピックアップローラの位置を、通常の給紙における位置と、混載給紙における位置とに、手作業により変更しなければならないので、配置変更の作業が煩雑で時間を要し、ユーザの負担が大きくなる。
【特許文献１】特開平２０００−１１８７４４
【発明の開示】
【発明が解決しようとする課題】
【０００４】
本発明の目的は、手作業によるピックアップローラの配置変更を行うことなく、用紙のスキューの発生を抑制できる、新規な給紙装置を提供することである。
【課題を解決するための手段】
【０００５】
本発明の一局面によれば、
用紙載置台に載置された用紙を給紙するピックアップローラと、ピックアップローラにより給紙された複数の原稿を分離して１枚のみ搬送する分離手段と、用紙載置台に載置された用紙の、給紙方向に直交する水平幅方向の中心を、用紙載置台の水平幅方向の中心に整合させる一対の幅規制部材とを備え、用紙載置台にサイズの異なる用紙が混載される場合、小サイズの用紙は、水平幅方向の一側が、片方の幅規制部材に突き当てられて位置決めされる、給紙装置において、
ピックアップローラは、用紙載置台の該中心を挟んだ水平幅方向両側にそれぞれ配設され、該中心に対し、他方の幅規制部材側に配置されたピックアップローラは、上下方向に揺動可能である、
ことを特徴とする給紙装置、
が提供される。
用紙載置台の該中心に対し、片方の幅規制部材側に配置されたピックアップローラにおける水平幅方向の中心は、該小サイズの用紙における水平幅方向の中心ないし中心領域に配置される、ことが好ましい。
用紙載置台の該中心に対し、他方の幅規制部材側に配置されたピックアップローラは、用紙載置台に載置された用紙の上面が当接される給紙位置と、用紙載置台に載置された用紙の上面から上方に離隔した非給紙位置との間を揺動可能であり、該中心に対し、片方の幅規制部材側に配置されたピックアップローラは、用紙載置台に載置された用紙の上面が当接される給紙位置に保持されている、ことが好ましい。
ピックアップローラは、用紙載置台の該中心を挟んだ水平幅方向両側の対称位置に、それぞれ、少なくとも１個配設されている、ことが好ましい。
本発明の他の局面によれば、
用紙載置台に載置された用紙を給紙するピックアップローラと、ピックアップローラにより給紙された複数の原稿を分離して１枚のみ搬送する分離手段と、用紙載置台に載置された用紙の、給紙方向に直交する水平幅方向の中心を、用紙載置台の水平幅方向の中心に整合させる一対の幅規制部材とを備え、用紙載置台にサイズの異なる用紙が混載される場合、小サイズの用紙は、水平幅方向の一側が、片方の幅規制部材に突き当てられて位置決めされる、給紙装置において、
ピックアップローラは、ピックアップローラにおける水平幅方向の中心が、用紙載置台の該中心に対し、片方の幅規制部材側に寄せられた位置に配置される、
ことを特徴とする給紙装置、
が提供される。
ピックアップローラは、ピックアップローラの、用紙載置台に載置された用紙の上面が当接される外周面が、用紙載置台の該中心から水平幅方向に離れない位置に配置される、ことが好ましい。
ピックアップローラは、１個又は複数個配設されている、ことが好ましい。
ピックアップローラは２個配設され、用紙載置台の該中心に対し、他方の幅規制部材側に配置されたピックアップローラおける水平幅方向の中心は、大サイズの用紙における水平幅方向の中心領域に配置され、該中心に対し、片方の幅規制部材側に配置されたピックアップローラにおける水平幅方向の中心は、該小サイズの用紙における水平幅方向の中心ないし中心領域に配置される、ことが好ましい。
分離手段は、分離手段における水平幅方向の中心が、用紙載置台の水平幅方向の中心を通り給紙方向に延在する中心線上に存在するよう配置されている、ことが好ましい。
【発明を実施するための最良の形態】
【０００６】
以下、本発明に従って構成された給紙装置の実施の形態を、添付図面を参照して詳細に説明する。
【０００７】
図１を参照して、図示しない複写機の上端に備えられた自動原稿搬送装置２は、ピックアップローラ４と、ピックアップローラ４の下流側に配置された分離手段６と、分離手段６の下流側に配置されたレジストローラ対８と、レジストローラ対８の下流側に配置された搬送ローラ１０、１２、１４、１６及び１８とを備えている。それ自体は周知の構成を利用することでよい分離手段６は、駆動ローラ６Ａと、従動ローラ６Ｂと、駆動ローラ６Ａ及び従動ローラ６Ｂに巻き掛けられた無端状の搬送ベルト６Ｃと、搬送ベルト６Ｃの下面に当接された分離ローラ６Ｄとを備えている。駆動ローラ６Ａは、駆動軸７と一体回転しうるよう駆動軸７に装着され、駆動軸７は、ギヤなどを含む図示しない動力伝達機構を介して、図示しない、駆動源である電動モータに駆動連結されている。搬送ベルト６Ｃは、電動モータにより図１において時計方向に回転駆動される。分離ローラ６Ｄは、トルクリミッタ及びギヤなどを含む図示しない動力伝達機構を介して、図示しない、駆動源である電動モータに駆動連結されている。分離ローラ６Ｄは、電動モータにより図１において時計方向に回転駆動される。
【０００８】
図示しない複写機の上面と協働して形成される画像読取位置Ｐの上方には、大径のローラ２０が配設されている。搬送ローラ１０及び１２は、それぞれ、大径のローラ２０の外周面に圧接されている。分離手段６、レジストローラ対８、搬送ローラ１０、１２、１４、１６及び１８は、自動原稿搬送装置２の原稿搬送路２２に沿って上流から下流に向かってその順序で配置されている。原稿搬送路２２の上流端の延長上には、用紙載置台である原稿給紙テーブル２４が配設され、原稿搬送路２２の下流端の延長上には用紙排出トレイである原稿排出トレイ２６が配設されている。原稿排出トレイ２６は原稿給紙テーブル２４の鉛直下方に配置されている。原稿搬送路２２は、搬送ローラ１０から画像読取位置Ｐに至る間において反転するよう湾曲されている。
【０００９】
原稿給紙テーブル２４にセットされた図示しない用紙である原稿の先端領域は、原稿給紙テーブル２４の下流端部に配設された図示しない原稿押圧機構により押し上げられ、最上位の原稿の上面がピックアップローラ４に圧接させられる。ピックアップローラ４により給紙された原稿は、分離手段６により１枚のみが搬送される。分離手段６により搬送された用紙は、分離手段６の下流に配設された上記各ローラにより、原稿搬送路２２に沿って搬送されて原稿排出トレイ２６に排出されるが、画像読取位置Ｐを通過する間に原稿の画像が読み取られ、図示しない複写機によりコピーが遂行される。このような動作は周知のとおりに行われ、また、本発明の特徴をなすものではないので、更なる説明は省略する。
【００１０】
図２〜図４を参照して、図示の給紙装置は、上記ピックアップローラ４と、ピックアップローラ４より給紙された複数の原稿を分離して１枚のみ搬送する上記分離手段６（図１）と、原稿給紙テーブル２４に載置された原稿の、給紙方向（図２〜図４において、矢印Ｘ方向）に直交する水平幅方向（図２〜図４において、矢印Ｙ−Ｙ方向）の中心を、原稿給紙テーブル２４の水平幅方向（以下、単にＹ−Ｙ方向と称する）の中心に整合させる一対の幅規制部材３０及び３２とを備えている。図４において、符号ＣＬは、原稿給紙テーブル２４のＹ−Ｙ方向の中心をとおり、Ｘ方向に延在する中心線を示している。
【００１１】
上記駆動軸７は、Ｙ−Ｙ方向に水平に延在し、両端部は自動原稿搬送装置２の装置本体に回転自在に支持されている。駆動軸７の中央部には、Ｙ−Ｙ方向に（軸方向に）間隔をおいて静止枠体３４及び可動枠体３６が、Ｙ−Ｙ方向に間隔をおいて並列して配設されている。静止枠体３４及び可動枠体３６の給紙方向（以下、単にＸ方向と称する）下流側端部は、駆動軸７に相対回転自在にかつ、軸方向移動ができないように支持されている。そして、静止枠体３４は、自動原稿搬送装置２の装置本体に対し、支持フランジ３８を介して固定されている。静止枠体３４は、駆動軸７から、Ｘ方向と反対方向である上流に向かってほぼ水平に延在する。
【００１２】
自動原稿搬送装置２の装置本体であって、可動枠体３６よりも、Ｘ方向下流側の位置には、ソレノイドＳＯＬが配設されている。自己保持形のソレノイドＳＯＬの可動鉄心４０は、ソレノイドＳＯＬのハウジングＨから、Ｘ方向と反対方向である上流方向にほぼ水平に延び出している。可動鉄心４０の上流端部は、静止枠体３４の、Ｙ−Ｙ方向における片側（図４において下方）の上方に位置し、可動枠体３６に配設された直立フランジ４１であって、可動鉄心４０の上流端部に対し、Ｙ−Ｙ方向における他側（図４において上方）に間隔をおいた位置に存在する直立フランジ４１に、ピン４２を介して連結されている。ピン４２は駆動軸７に平行に延在し、可動枠体３６側の一端部が、直立フランジ４１に形成された長穴４１ａであって、上下方向に長い長穴４１ａに相対回動可能に挿入されている。可動枠体３６は、駆動軸７から、Ｘ方向と反対方向である上流に向かってほぼ水平に延在する。自己保持形のソレノイドＳＯＬはＯＮ−ＯＦＦ動作の繰り返しにより、可動鉄心４０は、ハウジングＨからの突出長さが比較的長い第１の位置（図２に示されている位置）と、ハウジングＨからの突出長さが第１の位置よりも短い第２の位置（図５に示されている位置）との間を選択的に移動させられて、それぞれの位置に保持される。
【００１３】
静止枠体３４の上流端部には、１個のピックアップローラ４４が、Ｙ−Ｙ方向に水平に延在する軸４５を介して一体回転しうるよう支持され、可動枠体３６の上流端部には、１個のピックアップローラ４６がＹ−Ｙ方向に水平に延在する軸４７を介して一体回転しうるよう支持されている。軸４５及び４７は、それぞれ、静止枠体３４及び可動枠体３６から、相互に反対方向に延び出している。軸４５及び４７の各々における、延び出した先端部には、それぞれプーリ４８及び５０が一体回転しうるよう装着されている。プーリ４８及び５０に対応して、それぞれプーリ５２及び５４が、駆動軸７に一体回転しうるよう装着されている。ピックアップローラ４４のプーリ４８と、駆動軸７のプーリ５２との間には無端状の駆動ベルト５６が巻き掛けられ、ピックアップローラ４６のプーリ５０と、駆動軸７のプーリ５４との間には無端状の駆動ベルト５８が巻き掛けられている。
【００１４】
分離手段６における駆動ローラ６Ａは、静止枠体３４及び可動枠体３６の中央位置において、駆動軸７に一体回転しうるよう装着されている。従動ローラ６Ｂは、静止枠体３４から可動枠体３６に向かって水平に延び出した固定軸６０（図６参照）に回転自在に支持されている。
【００１５】
ピックアップローラ４４及び４６は、原稿給紙テーブル２４の中心線ＣＬを挟んだＹ−Ｙ方向両側において、それぞれ中心線ＣＬに対し等間隔をおいた対称位置に配設されている。分離手段６は、分離手段６におけるＹ−Ｙ方向の中心が、原稿給紙テーブル２４の中心線ＣＬ上に存在するよう配置されている。具体的には、分離手段６を構成する、駆動ローラ６Ａ、従動ローラ６Ｂ、搬送ベルト６Ｃ及び分離ローラ６Ｄの各々におけるＹ−Ｙ方向の中心が、原稿給紙テーブル２４の中心線ＣＬ上に存在するよう配置されている。
【００１６】
上記給紙装置において、Ｙ−Ｙ方向における、他方の幅規制部材３２側に配置されたピックアップローラ４６は、上下方向に揺動可能である。すなわち、ソレノイドＳＯＬが第１の位置（図２に示されている位置）に保持された状態においては、可動枠体３６は、所定の水平位置に保持されており、可動枠体３６に支持されたピックアップローラ４６は、原稿給紙テーブル２４に載置された用紙の上面が当接される給紙位置（図２に示されている位置）に保持される。可動鉄心４０が第１の位置から第２の位置（図５に示されている位置）まで移動させられると、可動枠体３６が、駆動軸７を中心として所定の角度だけ回動させられる（図２において、駆動軸７の軸方向に左方から見て反時計方向に所定の角度だけ回動させられる）。可動枠体３６に支持されたピックアップローラ４６は、給紙位置から、原稿給紙テーブル２４に載置された用紙の上面から上方に離隔した非給紙位置（図５及び図６に示されている位置）まで揺動させられる。
【００１７】
他方、静止枠体３４は、常時所定の水平位置に保持されているので、静止枠体３４に支持されたピックアップローラ４４は、常時、原稿給紙テーブル２４に載置された用紙の上面が当接される給紙位置（図２、図５及び図６に示されている位置）に保持される。可動枠体３６が、所定の水平位置に保持された状態において、ピックアップローラ４４及び４６の軸４５及び４７は、それぞれ、共通の水平軸線上に位置付けられ、静止枠体３４に支持されたピックアップローラ４４の下面の高さは、可動枠体３６に支持されたピックアップローラ４６の下面の高さと実質的に同じに位置付けられる。
【００１８】
原稿給紙テーブル２４に、用紙である原稿、例えば図４に示すように、ＪＩＳにおけるＡ４サイズの原稿が、長手方向をＹ−Ｙ方向に向けて通常のとおりに載置された場合（混載でない場合）、原稿は、原稿給紙テーブル２４において、そのＹ−Ｙ方向の中心が、幅規制部材３０及び３２の各々によって、原稿給紙テーブル２４のＹ−Ｙ方向の中心に整合される（Ａ４サイズの原稿のＹ−Ｙ方向における中心をとおってＸ方向に延在するＡ４サイズの原稿の中心線が、実質的に上記中心線ＣＬと一致させられる）。Ａ４サイズの原稿の先端領域は、原稿給紙テーブル２４の下流端部に配設された図示しない原稿押圧機構により押し上げられ、最上位のＡ４サイズの原稿における上面がピックアップローラ４４及び４６に圧接させられる。
【００１９】
駆動軸７が回転駆動させられると、ピックアップローラ４４及び４６と、分離手段６の搬送ベルト６Ｃが同じ方向に回転駆動される。分離ローラ６Ｄも同じ方向に回転駆動させられる。原稿は、ピックアップローラ４４及び４６によって、下流方向に給紙され、搬送ベルト６Ｃと分離ローラ６Ｄとの協働による分離作用により、１枚だけ下流方向に搬送される。原稿のＹ−Ｙ方向の両側が、幅規制部材３０及び３２の各々によって規制されていること、及び、ピックアップローラ４４及び４６が、原稿給紙テーブル２４の中心線ＣＬを挟んだＹ−Ｙ方向両側において、それぞれ中心線ＣＬに対し等間隔をおいた対称位置に配設されていること、に起因して、原稿は、ピックアップローラ４４及び４６によって、スキューすることなく給紙される。
【００２０】
原稿給紙テーブル２４にサイズの異なる原稿が混載された場合、例えば、上記したとおりに載置されたＡ４サイズ（大サイズ）の原稿の上に、ＪＩＳにおけるＢ５サイズ（小サイズ）の原稿が、長手方向をＹ−Ｙ方向に向けて載置された場合（混載された場合）、Ｂ５サイズの原稿の、Ｙ−Ｙ方向の一側（図４において上側）のみが、片方の幅規制部材３０に当接されて規制される。Ｂ５サイズの原稿の、Ｙ−Ｙ方向における中心は、原稿給紙テーブル２４の中心に対し、片方の幅規制部材３０方向に片寄って位置付けられる。図４において、符号Ｌ１は、Ｂ５サイズの原稿の、Ｙ−Ｙ方向における中心を通りＸ方向に延在する中心線を示している。
【００２１】
ユーザによる混載モードの設定により、ソレノイドＳＯＬが作動して、可動枠体３６が先に述べたとおりにして揺動させられ、可動枠体３６に支持されたピックアップローラ４６は、図２に示す給紙位置から図５及び図６に示す非給紙位置まで、上方に移動させられる。原稿の先端領域は、原稿給紙テーブル２４の下流端部に配設された図示しない原稿押圧機構により押し上げられるが、最上位に位置する、Ｂ５サイズの原稿の上面が、静止枠体３４に支持されたピックアップローラ４４のみに圧接させられ、可動枠体３６に支持されたピックアップローラ４６には当接させられない。Ｂ５サイズの原稿の上面が圧接させられる、ピックアップローラ４４は、ピックアップローラ４４におけるＹ−Ｙ方向の中心（図４における中心線Ｌ１）が、原稿給紙テーブル２４の該中心（図４における中心線ＣＬ）に対し、Ｙ−Ｙ方向における片方の幅規制部材３０側に寄せられた位置に配置される。
【００２２】
駆動軸７が回転駆動させられると、ピックアップローラ４４及び４６と、分離手段６の搬送ベルト６Ｃが同じ方向に回転駆動される。分離ローラ６Ｄも同じ方向に回転駆動させられる。Ｂ５サイズの原稿が、ピックアップローラ４４のみによって、下流方向に給紙され、搬送ベルト６Ｃと分離ローラ６Ｄとの協働による分離作用により、１枚だけ下流方向に搬送される。Ｂ５サイズの原稿は、そのＹ−Ｙ方向における中心が、原稿給紙テーブル２４の中心に対し、片方の幅規制部材３０方向に片寄って位置付けられ、Ｙ−Ｙ方向の一側のみが、片方の幅規制部材３０によって規制された状態で給紙されるが、ピックアップローラ４４におけるＹ−Ｙ方向の中心が、原稿給紙テーブル２４の該中心（図４における中心線ＣＬ）に対し、Ｙ−Ｙ方向における片方の幅規制部材３０側に寄せられた位置に配置されていることに起因して、Ｂ５サイズの原稿は、Ｙ−Ｙ方向の一側が、片方の幅規制部材３０に対し傾かずに片方の幅規制部材３０に沿って移動させられるので、スキューが抑制される。図示の実施形態において、ピックアップローラ４４は、Ｂ５サイズの原稿の、Ｙ−Ｙ方向における中心ないし中心領域が圧接させられる位置に存在するので、Ｂ５サイズの原稿のスキューは効果的に抑制される。
【００２３】
上記実施形態において、ピックアップローラ４は、原稿給紙テーブル２４の該中心を挟んだ水平幅方向両側の対称位置に、それぞれ、１個（ピックアップローラ４４及び４６）配設されているが、それぞれ複数個配設する実施形態もある。
【００２４】
次に、図７〜図９を参照して、本発明による給紙装置の他の実施形態について説明する。なお、図７〜図９に示す給紙装置において、図１〜図６を参照して説明した先の実施形態と実質的に同一部分は同一符号で示し、説明は省略する。
【００２５】
図７〜図９に示す給紙装置は、１個の静止枠体７０を備えている。静止枠体７０は、その下流端部が、先に述べた静止枠体３４におけると実質的に同じとおりにして駆動軸７に相対回転可能にかつ軸方向の移動ができないよう支持されるとともに、自動原稿搬送装置２の装置本体に対し、支持フランジ３８を介して固定されている。静止枠体７０の上流端部には、ピックアップローラ４である、２個のピックアップローラ７２及び７４が１個の軸７６を介して一体回転できるよう支持されている。軸７６の一端部（他方の幅規制部材３２側の一端部）は、静止枠体７０におけるＹ−Ｙ方向の外方に突出させられ、先の実施形態におけると同じとおりにして駆動軸７に駆動連結されている。
【００２６】
ピックアップローラ４は、ピックアップローラ４におけるＹ−Ｙ方向の中心が、原稿給紙テーブル２４におけるＹ−Ｙ方向の中心に対し、片方の幅規制部材３０側に寄せられた位置に配置されている。具体的には、他方の幅規制部材３２側に配置されたピックアップローラ７４は、そのＹ−Ｙ方向における中心が、原稿給紙テーブル２４におけるＹ−Ｙ方向の中心ないし中心領域、したがって、原稿給紙テーブル２４に載置された大サイズの原稿、実施形態においてはＡ４サイズの原稿におけるＹ−Ｙ方向の中心ないし中心領域に配置される。また、片方の幅規制部材３０側に配置されたピックアップローラ７２におけるＹ−Ｙ方向の中心は、小サイズの原稿、実施形態においてはＢ５サイズの原稿におけるＹ−Ｙ方向の中心ないし中心領域に配置される。図９において符号Ｌ２は、ピックアップローラ４におけるＹ−Ｙ方向の中心、実施形態においては、Ｙ−Ｙ方向に隣接して配置されたピックアップローラ７２及び７４間の、Ｙ−Ｙ方向における中心を通り、Ｘ方向に延在する中心線を示している。なお、分離手段６は、その中心が、原稿給紙テーブル２４の中心線ＣＬ上に存在するよう配置されている。
【００２７】
原稿給紙テーブル２４に、用紙である原稿、例えば図９に示すように、ＪＩＳにおけるＡ４サイズの原稿が、長手方向をＹ−Ｙ方向に向けて通常のとおりに載置された場合（混載でない場合）、原稿は、原稿給紙テーブル２４において、そのＹ−Ｙ方向の中心が、幅規制部材３０及び３２の各々によって、原稿給紙テーブル２４のＹ−Ｙ方向の中心に整合される（Ａ４サイズの原稿のＹ−Ｙ方向の中心をとおってＸ方向に延在するＡ４サイズの原稿の中心線が、実質的に上記中心線ＣＬと一致させられる）。Ａ４サイズの原稿の先端領域は、原稿給紙テーブル２４の下流端部に配設された図示しない原稿押圧機構により押し上げられ、最上位のＡ４サイズの原稿の上面がピックアップローラ７２及び７４に圧接させられる。
【００２８】
駆動軸７が回転駆動させられると、ピックアップローラ７２及び７４と、分離手段６の搬送ベルト６Ｃが同じ方向に回転駆動される。分離ローラ６Ｄも同じ方向に回転駆動させられる。原稿は、ピックアップローラ７２及び７４によって、下流方向に給紙され、搬送ベルト６Ｃと分離ローラ６Ｄとの協働による分離作用により、１枚だけ下流方向に搬送される。原稿のＹ−Ｙ方向の両側が、幅規制部材３０及び３２の各々によって規制されていること、及び、ピックアップローラ７４におけるＹ−Ｙ方向の中心が、原稿給紙テーブル２４に載置された大サイズの原稿、実施形態においてはＡ４サイズの原稿におけるＹ−Ｙ方向の中心ないし中心領域に配置されていること、に起因して、原稿は、ピックアップローラ７２及び７４によって、スキューすることなく給紙される。ピックアップローラ７４は、ピックアップローラ７４の、原稿給紙テーブル２４に載置された原稿の上面が当接される外周面が、原稿給紙テーブル２４の該中心（図９における中心線ＣＬ）から離れない位置に配置されることにより、大サイズの原稿における給紙の安定性が、より確保される。
【００２９】
原稿給紙テーブル２４にサイズの異なる原稿が混載された場合、例えば、上記したとおりに載置されたＡ４サイズ（大サイズ）の原稿の上に、ＪＩＳにおけるＢ５サイズ（小サイズ）の原稿が、長手方向をＹ−Ｙ方向に向けて載置された場合（混載された場合）、Ｂ５サイズの原稿の、Ｙ−Ｙ方向の一側（図９において上側）のみが、片方の幅規制部材３０に当接されて規制される。Ｂ５サイズの原稿の、Ｙ−Ｙ方向における中心は、原稿給紙テーブル２４の中心に対し、片方の幅規制部材３０方向に片寄って位置付けられる。
【００３０】
原稿の先端領域は、原稿給紙テーブル２４の下流端部に配設された図示しない原稿押圧機構により押し上げられ、最上位に位置する、Ｂ５サイズの原稿の上面が、ピックアップローラ７２及び７４に圧接させられる。Ｂ５サイズの原稿の上面が圧接させられる、ピックアップローラ７２及び７４は、ピックアップローラ７２及び７４間のＹ−Ｙ方向における中心（図９における中心線Ｌ２）が、原稿給紙テーブル２４の該中心（図９における中心線ＣＬ）に対し、Ｙ−Ｙ方向における片方の幅規制部材３０側に寄せられた位置に配置される。
【００３１】
駆動軸７が回転駆動させられると、ピックアップローラ７２及び７４と、分離手段６の搬送ベルト６Ｃが同じ方向に回転駆動される。分離ローラ６Ｄも同じ方向に回転駆動させられる。Ｂ５サイズの原稿が、ピックアップローラ７２及び７４によって、下流方向に給紙され、搬送ベルト６Ｃと分離ローラ６Ｄとの協働による分離作用により、１枚だけ下流方向に搬送される。Ｂ５サイズの原稿は、そのＹ−Ｙ方向における中心（図９における中心線Ｌ１）が、原稿給紙テーブル２４の中心（図９における中心線ＣＬ）に対し、片方の幅規制部材３０方向に片寄って位置付けられ、Ｙ−Ｙ方向の一側のみが、片方の幅規制部材３０によって規制された状態で給紙されるが、ピックアップローラ７２及び７４間におけるＹ−Ｙ方向の中心（図９における中心線Ｌ２）が、原稿給紙テーブル２４の該中心（図９における中心線ＣＬ）に対し、Ｙ−Ｙ方向における片方の幅規制部材３０側に寄せられた位置に配置されていることに起因して、Ｂ５サイズの原稿は、Ｙ−Ｙ方向の一側が、片方の幅規制部材３０に対し傾かずに片方の幅規制部材３０に沿って移動させられるので、スキューが抑制される。図示の実施形態において、ピックアップローラ７２は、Ｂ５サイズの原稿の、Ｙ−Ｙ方向における中心ないし中心領域が圧接させられる位置に存在するので、Ｂ５サイズの原稿のスキューは、効果的に抑制される。上記実施形態において、ピックアップローラ７２及び７４間におけるＹ−Ｙ方向の中心（図９における中心線Ｌ２）は、分離手段６におけるＹ−Ｙ方向の中心を通りＸ方向に延在する中心線に対し、片方の幅規制部材３０側に片寄って配置されるので、Ｂ５サイズの原稿は、Ｙ−Ｙ方向の一側が、片方の幅規制部材３０に対し押圧されながら、片方の幅規制部材３０に沿って移動させられるので、Ｂ５サイズの原稿のスキューは効果的に抑制される。
【００３２】
図７〜図９に示す実施形態において、ピックアップローラ４は、２個（ピックアップローラ７２及び７４）配設されているが、１個であっても、目的の達成は可能である。
【００３３】
上記説明から明らかなように、本発明による給紙装置によれば、手作業によるピックアップローラの配置変更を行うことなく、原稿を含む用紙のスキューの発生を抑制できる。本発明による給紙装置は、給紙カセットに載置された用紙の給紙にも適用可能である。
【図面の簡単な説明】
【００３４】
【図１】本発明による給紙装置の実施形態を備えた自動原稿搬送装置を示す断面図であって、本発明の構成の一部を省略して示す断面図である。
【図２】図１に示す自動原稿搬送装置に備えられた給紙装置の要部を示す斜視図である。
【図３】図２に示す給紙装置の要部を、図２において下方から見た斜視図である。
【図４】図２に示す給紙装置の要部における他の作動態様を示す斜視図である。
【図５】図４に示す給紙装置の要部を、図４において下方から見た斜視図である。
【図６】図２に示す給紙装置の要部を、用紙載置台及び用紙載置台に混載されたサイズの異なる用紙と共に示す平面図である。
【図７】本発明による給紙装置の他の実施形態における要部を示す斜視図である。
【図８】図７に示す給紙装置の要部を、図７において下方から見た斜視図である。
【図９】図８に示す給紙装置の要部を、用紙載置台及び用紙載置台に混載されたサイズの異なる用紙と共に示す平面図である。
【符号の説明】
【００３５】
４：ピックアップローラ
６：分離手段
２４：原稿給紙テーブル
３０、３２：幅規制部材
３４：静止枠体
３６：可動枠体
４４、４６、７２、７４：ピックアップローラ
ＣＬ：原稿給紙テーブルの中心線
【図１】
2006151623.tif 000003
【図２】
2006151623.tif 000004
【図３】
2006151623.tif 000005
【図４】
2006151623.tif 000006
【図５】
2006151623.tif 000007
【図６】
2006151623.tif 000008
【図７】
2006151623.tif 000009
【図８】
2006151623.tif 000010
【図９】
2006151623.tif 000011